(57)【要約】【課題】既存記録情報の消去又は劣化を抑制し、信頼性の向上した磁気記録ヘッドおよびこれを備えたディスク装置を提供する。【解決手段】実施形態によれば、磁気記録ヘッドは、空気支持面と、空気支持面に露出する先端部を有し、記録磁界を発生する主磁極６０と、ライトギャップを挟んで前記主磁極の先端部に対向するライトシールド６２と、主磁極のトラック幅方向の両側に配置された一対のサイドシールド７４と、サイドシールドと主磁極が対向する面の間で、一対のサイドシールドのトラック幅全体に亘って設けられ、空気支持面の面方向に沿った電流が流れる配線８０と、を備えている。【選択図】図４
2017117506.tif 000002
【特許請求の範囲】
【請求項１】
空気支持面と、
前記空気支持面に露出する先端部を有し、記録磁界を発生する主磁極と、
ライトギャップを挟んで前記主磁極の先端部に対向するライトシールドと、
前記主磁極のトラック幅方向の両側に配置された一対のサイドシールドと、
前記サイドシールドと主磁極が対向する面の間で、前記一対のサイドシールドのトラック幅全体に亘って設けられ、前記空気支持面の面方向に沿った電流が流れる配線と、
を備える磁気記録ヘッド。
【請求項２】
前記サイドシールドの各々は、前記空気支持面に露出する底面と、前記空気支持面からから高さ方向に離間し前記底面と対向する上面と、を有し、前記配線は、所定距離を置いて、前記サイドシールドの上面に対向して配置されている請求項１に記載の磁気記録ヘッド。
【請求項３】
前記配線は、一方のサイドシールドの上面に隙間を置いて対向配置され、前記一方のサイドシールドのトラック幅方向の全長に亘って延びた第１配線と、他方のサイドシールドの上面に隙間を置いて対向配置され、前記他方のサイドシールドのトラック幅方向の全長に亘って延びた第２配線と、の独立した２本の配線で構成されている請求項１又は２に記載の磁気記録ヘッド。
【請求項４】
前記主磁極に磁束を流すために前記主磁極およびライトシールドを有する磁気コアに巻き付くように配置され、前記主磁極に磁束を流すための記録コイルを更に備えている請求項１ないし３のいずれか１項に記載の磁気記録ヘッド。
【請求項５】
前記配線の太さ、前記サイドシールドと前記配線と間の距離、および前記配線に流す電流量は、通電により前記配線から発生し前記サイドシールドに面方向に作用する電流磁界の大きさに応じて設定されている請求項１ないし４のいずれか１項に記載の磁気記録ヘッド。
【請求項６】
媒体面に対して垂直方向に磁気異方性を有する記録層を有するディスク状の記録媒体と、
前記記録媒体に対して情報のライトを行う請求項１ないし５のいずれか１項に記載の磁気記録ヘッドと、
前記磁気記録ヘッドの前記配線に直流電流あるいは交流電流を流す電流供給部と、
を備えるディスク装置。
【請求項７】
前記電流供給部は、前記磁気記録ヘッドの記録コイルとは独立して前記配線に電流を供給するように構成されている請求項６に記載のディスク装置。
【請求項８】
前記電流供給部は、前記磁気記録ヘッドの記録コイルへの通電と同期して前記配線に電流を供給するように構成されている請求項６に記載のディスク装置。
【発明の詳細な説明】
【技術分野】
【０００１】
ここで述べる実施形態は、ディスク装置に用いる磁気記録ヘッド、およびこの磁気記録ヘッドを備えたディスク装置に関する。
【背景技術】
【０００２】
ディスク装置として、例えば、磁気ディスク装置は、ケース内に配設された磁気ディスクと、磁気ディスクを支持および回転駆動するスピンドルモータと、磁気ディスクに対して情報のリード／ライトを行う磁気ヘッドと、を備えている。磁気ヘッドは、ライト用の記録ヘッドとリード用のリードヘッドとを含んでいる。
【０００３】
近年、磁気ディスク装置の高記録密度化、大容量化あるいは小型化を図るため、垂直磁気記録用の磁気ヘッドが提案されている。このような磁気ヘッドにおいて、記録ヘッドは、磁気ディスクの記録面に対して垂直方向の磁界を発生する主磁極と、主磁極にライトギャップを挟んで対向配置されたライトシールド磁極と、を有している。更に、主磁極からの戻り磁界による記録データの劣化を低減するため、主磁極の幅方向の両側にサイドシールドを設けた記録ヘッドが提案されている。
【先行技術文献】
【特許文献】
【０００４】
【特許文献１】特開２００９−４８７１９号公報
【特許文献２】米国特許第８４３２６３９号明細書
【発明の概要】
【発明が解決しようとする課題】
【０００５】
このようなサイドシールドを有する記録ヘッドは、主磁極からトラック幅方向への磁界漏れを抑制し、イレーズ幅の増大防止が期待される。しかし、主磁極と、磁気ディスクの記録層と、サイドシールドと、に流れる磁束により、サイドシールド内の一部の磁化が記録層に対して垂直方向に向くことがある。そのため、同一トラック上に記録動作を繰り返し行う際に、数十トラックに渡る幅をもつサイドシールド直下から発生する磁界により、この数十トラックに渡る広い領域において既記録情報が消去または劣化する場合がある。
【０００６】
この発明が解決しようとする課題は、既存記録情報の消去又は劣化を抑制し、信頼性をより向上した磁気記録ヘッドおよびこれを備えたディスク装置を提供することにある。
【課題を解決するための手段】
【０００７】
実施形態によれば、磁気記録ヘッドは、空気支持面と、前記空気支持面に露出する先端部を有し、記録磁界を発生する主磁極と、ライトギャップを挟んで前記主磁極の先端部に対向するライトシールドと、前記主磁極のトラック幅方向の両側に配置された一対のサイドシールドと、前記サイドシールドと主磁極が対向する面の間で、前記一対のサイドシールドのトラック幅全体に亘って設けられ、前記空気支持面の面方向に沿った電流が流れる配線と、を備えている。
【図面の簡単な説明】
【０００８】
【図１】図１は、第１の実施形態に係るハードディスクドライブ（以下、ＨＤＤ）を示す斜視図。
【図２】図２は、前記ＨＤＤにおける磁気ヘッドおよびサスペンションを示す側面図。
【図３】図３は、前記磁気ヘッドのヘッド部および磁気ディスクを拡大して示す断面図。
【図４】図４は、前記磁気ヘッドの記録ヘッドを模式的に示す斜視図。
【図５】図５は、前記記録ヘッドの空気支持面（ＡＢＳ）側端部をスライダのリーディング端側から見た側面図。
【図６】図６は、前記記録ヘッドを空気支持面側から見た平面図。
【図７】図７は、比較例に係る記録ヘッド（代表的なサイドシールド付きの記録ヘッド）および本実施形態に係る記録ヘッドについて、トラック幅方向の磁界強度分布を比較して示す図。
【図８】図８は、比較例に係る記録ヘッドと本実施形態に係る記録ヘッドとを用いたイレーズ試験結果を比較して示す図。
【図９】図９は、第２の実施形態に係るＨＤＤの記録ヘッドを模式的に示す斜視図。
【図１０】図１０は、第２の実施形態に係る記録ヘッドを空気支持面側から見た平面図。
【発明を実施するための形態】
【０００９】
以下図面を参照しながら、種々の実施形態について説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
図１は、第１の実施形態に係るＨＤＤのトップカバーを取り外した内部構造を示し、図２は、浮上状態の磁気ヘッド３３を示している。図１に示すように、ＨＤＤは筐体１０を備えている。この筐体１０は、上面の開口した矩形箱状のベース１０ａと、ベース１０ａの上面に対応した図示しない矩形板状のトップカバーとを備えている。筐体１０内部は気密に保持され、例えば呼吸フィルター２６を通してのみ、外部と通気可能となっている。
【００１１】
ベース１０ａ上には、記録媒体としての磁気ディスク１２および機構部が設けられている。機構部は、磁気ディスク１２を支持および回転させるスピンドルモータ１３、磁気ディスク１２に対して情報の記録、再生を行なう複数、例えば、２つの磁気ヘッド３３、これらの磁気ヘッド３３を磁気ディスク１２の表面に対して移動自在に支持したキャリッジアッセンブリ１４、このキャリッジアッセンブリ１４を回動および位置決めするボイスコイルモータ（以下ＶＣＭと称する）１６を備えている。また、ベース１０ａ上には、磁気ヘッド３３が磁気ディスク１２の最外周に移動した際、磁気ヘッド３３を磁気ディスク１２から離間した位置に保持するランプロード機構１８、ＨＤＤに衝撃等が作用した際、キャリッジアッセンブリ１４を退避位置に保持するラッチ機構２０、および変換コネクタ３７等の電子部品が実装された基板ユニット１７が設けられている。
【００１２】
ベース１０ａの外面には、制御回路基板２５がねじ止めされ、ベース１０ａの底壁と対向して位置している。制御回路基板２５は、スピンドルモータ１３の動作を制御するとともに、基板ユニット１７を介してＶＣＭ１６、および磁気ヘッド３３の動作を制御する。
【００１３】
図１に示すように、磁気ディスク１２は、スピンドルモータ１３のハブに互いに同軸的に嵌合されているとともにハブの上端にねじ止めされたクランプばね１５によりクランプされ、ハブに固定されている。磁気ディスク１２は、駆動モータとしてのスピンドルモータ１３により所定の速度で矢印Ｂ方向に回転される。
【００１４】
キャリッジアッセンブリ１４は、ベース１０ａの底壁上に固定された軸受部２１と、軸受部２１から延出した複数のアーム２７と、アーム２７から延出する板状の複数のサスペンション３０と、を備えている。各サスペンション３０の延出端に磁気ヘッド３３が支持されている。アーム２７およびサスペンション３０によりサスペンションアッセンブリを構成し、このサスペンションアッセンブリと磁気ヘッド３３とによりヘッドサスペンションアッセンブリが構成される。
【００１５】
図２に示すように、各磁気ヘッド３３は、ほぼ直方体形状のスライダ４２と、このスライダ４２の流出端（トレーリング端）に設けられたリード／ライト用のヘッド部４４と、を有している。磁気ヘッド３３は、サスペンション３０の先端部に設けられたジンバルばね４１に固定されている。磁気ヘッド３３は、サスペンション３０およびアーム２７上に固定された配線部材３５を介して、基板ユニット１７から延出する中継ＦＰＣ３８に電気的に接続されている。
【００１６】
磁気ディスク１２が回転した状態でＶＣＭ１６のボイスコイルに通電することにより、キャリッジアッセンブリ１４が回動し、磁気ヘッド３３は磁気ディスク１２の所望のトラック上に移動および位置決めされる。この際、磁気ヘッド３３は、磁気ディスク１２の径方向に沿って、磁気ディスク１２の内周縁部と外周縁部との間を移動される。
【００１７】
次に、磁気ディスク１２および磁気ヘッド３３の構成について詳細に説明する。図３は、磁気ヘッド３３のヘッド部４４および磁気ディスク１２を拡大して示す断面図である。
図１ないし図３に示すように、磁気ディスク１２は、例えば、直径６５ｍｍ（２．５インチ）の円盤状に形成された非磁性体からなる基板１０１を有している。基板１０１の両表面には、下地層として軟磁気特性を示す材料からなる軟磁性層１０２と、その上層部に、磁気ディスク１２の表面に対して垂直方向に磁気異方性を有する記録層１０３と、その上層部に保護膜層１０４が順に積層されている。
【００１８】
図２および図３に示すように、磁気ヘッド３３は浮上型のヘッドとして構成され、ほぼ直方体状に形成されたスライダ４２と、スライダ４２の流出端側の端部（トレーリング端）４２ｂに形成されたヘッド部４４とを有している。スライダ４２は、例えば、アルミナとチタンカーバイドの焼結体（アルチック）で形成され、ヘッド部４４は薄膜を積層することにより形成されている。
【００１９】
スライダ４２は、磁気ディスク１２の表面に対向する矩形状の空気支持面（ＡＢＳ）４３を有している。スライダ４２は、磁気ディスク１２の回転によって磁気ディスク１２の表面とＡＢＳ４３との間に生じる空気流Ｃにより浮上する。空気流Ｃの方向は、磁気ディスク１２の回転方向Ｂと一致している。スライダ４２は、磁気ディスク１２の表面に対し、ＡＢＳ４３の長手方向が空気流Ｃの方向とほぼ一致するように配置されている。
【００２０】
スライダ４２は、空気流Ｃの流入側に位置するリーディング端４２ａおよび空気流Ｃの流出側に位置するトレーリング端４２ｂを有している。スライダ４２のＡＢＳ４３には、図示しないリーディングステップ、トレーリングステップ、サイドステップ、負圧キャビティ等が形成されている。
【００２１】
図３に示すように、ヘッド部４４は、スライダ４２のトレーリング端４２ｂに薄膜プロセスで形成されたリードヘッド５４および記録ヘッド（磁気記録ヘッド）５８を有し、分離型のヘッドとして形成されている。リードヘッド５４および記録ヘッド５８は、スライダ４２のＡＢＳ４３に露出する部分を除いて、非磁性の保護絶縁膜８１により覆われている。保護絶縁膜８１は、ヘッド部４４の外形を構成している。
【００２２】
リードヘッド５４は、磁気抵抗効果を示す磁性膜５５と、この磁性膜のトレーリング側およびリーディング側に磁性膜５５を挟むように配置されたシールド膜５６、５７と、で構成されている。これら磁性膜５５、シールド膜５６、５７の下端は、スライダ４２のＡＢＳ４３に露出している。
【００２３】
記録ヘッド５８は、リードヘッド５４に対して、スライダ４２のトレーリング端４２ｂ側に設けられている。図４は、記録ヘッドおよび磁気ディスクを模式的に示す斜視図、図５は、記録ヘッドのＡＢＳ側端部をスライダのリーディング端側から見た側面図、図６は、記録ヘッド部分をＡＢＳ側から見た平面図である。
【００２４】
図３および図４に示すように、記録ヘッド５８は、磁気ディスク１２の表面に対して（記録層１０３に対して）垂直方向の記録磁界を発生させる主磁極６０と、主磁極６０のトレーリング側（ヘッド走行方向Ｄと反対側）にＡＢＳ４３上でライトギャップＷＧ（第１ギャップ）を置いて配置されたライトシールド磁極（トレーリングシールド）６２と、主磁極６０の上部をライトシールド磁極６２に物理的に接合する接合部６７と、主磁極６０およびライトシールド磁極６２を含む磁気コアに巻きつくように配置された記録コイル７０と、を有している。主磁極６０は、高透磁率、高飽和磁束密度を有する軟磁性材料から形成され、その先端はＡＢＳ４３に露出している。ライトシールド磁極６２は、軟磁性材料で形成され、主磁極６０直下の磁気ディスク１２の軟磁性層１０２を介して効率的に磁路を閉じるために設けられている。
【００２５】
記録コイル７０は、例えば、主磁極６０とライトシールド磁極６２との間で、接合部６７の回りに巻付けられている。図示しないライトアンプから記録コイル７０に供給する電流は、ＨＤＤの制御回路基板（制御部）２５によって制御される。磁気ディスク１２に信号を書き込む際、ライトアンプから記録コイル７０に所定の電流が供給され、主磁極６０に磁束を流し磁界を発生させる。
【００２６】
図３ないし図６に示すように、主磁極６０は、ＡＢＳ４３に対してほぼ垂直に延びている。主磁極６０のＡＢＳ４３側の先端部６０ａは、ＡＢＳ４３および磁気ディスク１２の表面に向かって先細に絞り込まれ、他の部分に対して幅の狭い柱状に形成されている。主磁極６０の先端面は、スライダ４２のＡＢＳ４３に露出している。主磁極６０の先端部６０ａの幅（トラック幅方向ＴＷに沿った幅）Ｗ１は、磁気ディスク１２におけるトラックの幅にほぼ対応している。
【００２７】
ライトシールド磁極６２は、ほぼＬ字形状に形成され、その先端部６２ａは、細長い矩形状に形成されている。ライトシールド磁極６２の先端面は、スライダ４２のＡＢＳ４３に露出している。ライトシールド磁極６２の先端部６２ａは、主磁極６０の先端部６０ａに対向するリーディング側端面（磁極端面）６２ｂを有している。このリーディング側端面６２ｂは、主磁極６０の先端部６０ａの幅Ｗ１、および、磁気ディスク１２のトラック幅、よりも充分に長く、磁気ディスク１２のトラックの幅方向ＴＷに沿って延びている。リーディング側端面６２ｂは、ＡＢＳ４３に対してほぼ垂直に延びている。ＡＢＳ４３において、リーディング側端面６２ｂの下端縁は、主磁極６０のトレーリング側端面とライトギャップＷＧを置いて平行に対向している。
【００２８】
図３ないし図６に示すように、記録ヘッド５８は、更に、主磁極６０のトラック幅方向両側に主磁極６０とＡＢＳ４３上では磁気的に分断されて配置された軟磁性材料からなる一対のサイドシールド７４と、サイドシールド７４と主磁極６０とが対向する面の間で、かつサイドシールド７４のトラック幅全体に亘って設けられ電流磁界を発生させる配線８０と、を有している。
【００２９】
一対のサイドシールド７４は、高透磁率材料により、ライトシールド磁極６２の先端部６２ａと一体に形成され、先端部６２ａのリーディング側端面６２ｂからスライダ４２のリーディング端側に向かって突出している。各サイドシールド７４は、ライトシールド磁極６２のリーディング側端面６２ｂから、主磁極６０のリーディング側端面６０ｃを越える幅あるいは厚さに形成されている。
【００３０】
各サイドシールド７４は、ＡＢＳ４３に露出するほぼ矩形状の底面（第１面）７６ａと、ＡＢＳ４３から高さ方向奥側（ＡＢＳから離れる方向）に離間し底面７６ａとほぼ平行に対向する上面（第２面）７６ｂと、を有している。底面７６ａの主磁極側の端は、主磁極６０とギャップを置いて対向している。
【００３１】
図３ないし図６に示すように、配線８０は、サイドシールド７４と主磁極６０との間で、サイドシールド７４の上面７６ｂに対向して設けられ、更に、サイドシールド７４のトラック幅全体に延在している。すなわち、配線８０は、配線８０とＡＢＳ４３との間にサイドシールド７４が介在するように配置されている。配線８０は、サイドシールド７４の上面７６ｂおよびＡＢＳ４３とほぼ平行に配置され、かつ、サイドシールド７４の上面７６ｂから高さ方向（ＡＢＳ４３に垂直な方向）に距離Ｌ（例えば、１００ｎｍ）だけ離間している。
【００３２】
本実施形態において、配線８０の中央部は、ライトシールド磁極６２側に折れ曲がり、主磁極６０の先端部６０ａを跨いで延びている。配線８０の長手方向の両端部は、配線８３および前述した配線部材３５を介して、ＨＤＤの電流供給部（電源部）８２に電気的に接続されている。配線８０は、例えば、銅、アルミニウム等の導電材料で形成され、また、配線８０の太さ、距離Ｌ、通電電流量は、配線８０から発生する電流磁界の大きさ、および、サイドシールド７４に作用する電流磁界の大きさ、に応じて適宜設定されている。
図３および図４に示すように、電流供給部８４から配線８０にＤＣ電流あるいはＡＣ電流を通電すると、配線８０を通ってＡＢＳ４３とほぼ平行に電流が流れ、配線８０から配線８０を中心とする電流磁界が発生する。この電流磁界は、サイドシールド７４に対して、ＡＢＳ４３の面方向に作用する。これにより、各サイドシールド７４の磁化の向きは、ＡＢＳ４３と平行な面内方向となり、すなわち、磁気ディスク１２の記録層とほぼ平行な面内方向となり、サイドシールド７４からＡＢＳ４３に垂直な方向の漏れ磁界の発生を抑制することができる。  
なお、配線８０への通電は、常時、連続的に通電しても良く、あるいは、情報記録動作時に、記録コイル７０への通電に同期して配線８０に通電するようにしても良い。また、配線８０は、ＡＢＳ４３と完全に平行な場合に限らず、ＡＢＳ４３に対して僅かに傾斜していてもよい。
【００３３】
図７は、比較例に係る記録ヘッド（代表的なサイドシールド付きの記録ヘッド）および本実施形態に係る配線を有する記録ヘッドについて、トラック幅方向の磁界強度分布を比較して示す図である。すなわち、図７は、比較例に係る記録ヘッドを用いた場合の記録磁界分布のオフトラック方向プロファイルと、本実施形態に係る記録ヘッドを用い、配線８０の距離Ｌを１００ｎｍとした場合の記録磁界分布のオフトラック方向プロファイルとを比較した図である。  
図７において、トラック幅方向位置＝０の位置は、記録ヘッドの主磁極６０のトラック幅方向中心位置（トラックセンター）である。破線で示される特性線は、比較例に係る記録ヘッドの直下から発生するヘッド磁界分布であり、トラックセンターから片側オフトラック方向の各点での最大磁界をプロットしたものである。実線で示される特性線は、本実施形態に係る記録ヘッドの直下から発生するヘッド磁界分布であり、トラックセンターから片側オフトラック方向の各点での最大磁界をプロットしたものである。
【００３４】
実線の特性線で示すように、本実施形態に係る記録ヘッドは、比較例に係る記録ヘッドに比べて、主磁極６０直下のトラックセンターでの磁界強度を維持しつつ、オフトラック方向に２μｍの位置まで、もれ磁界が抑制されていることがわかる。オフトラック方向のもれ磁界が、記録媒体の記録層の核生成磁界（Ｈｎ）よりも大きい値の場合、記録層の磁化は劣化する。例えば、Ｈｎ＝０．３Ｔの記録媒体を用いた場合、比較例の記録ヘッドでは、トラック幅方向に２μｍの範囲で磁界強度がＨｎ＝０．３Ｔよりも高いため、この２μｍの範囲で既記録信号が劣化することが解る。これに対して、本実施形態に係る記録ヘッドでは、トラック幅方向の０．５〜２μｍの範囲でもれ磁界がＨｎ以下であるため、既記録信号の劣化は起こらない。これにより、例えば、トラック幅５０（ｎｍ）で記録するＨＤＤを用いた場合には、４０トラック分の信号劣化を抑制させることができることが分かる。
【００３５】
図８は、比較例に係る記録ヘッドと本実施形態に係る記録ヘッドとを用いたイレーズ試験結果を比較して示す図である。なお、磁気ディスクの記録層の磁気特性である核生成磁界Ｈｎは、０．３Ｔである。  
図８では、トラック幅方向位置＝０（μｍ）の位置を記録ヘッドの主磁極６０のトラック幅方向中心位置（トラックセンター）としている。トラック幅方向位置＝０（μｍ）において、ある周波数で記録パターン１を書き込んだ後に再生を行った場合の信号出力ａ１と、トラック幅方向位置＝＋２（μｍ）の位置において、記録パターン１と異なる周波数で１００００回書き込んだ後、再び記録パターン１の再生を行った際の、信号出力ａ２を測定した結果を、比較例に係る記録ヘッドと、本実施形態に係る記録ヘッドとについてそれぞれ示している。ここで、記録パターン１を書き込んだ直後の再生信号出力を１として規格化している。
【００３６】
図８に示すように、比較例に係る記録ヘッドでは、サイドシールド直下の磁界により、記録パターン１の信号出力は劣化していることが解る。これに対して、本実施形態に係る記録ヘッドでは、サイドシールド７４直下の磁界が記録層の核生成磁界Ｈｎよりも十分に抑制されているため、記録パターン１の信号品質が劣化していないことが解る。
【００３７】
以上のように構成された本実施形態に係る磁気記録ヘッドおよび磁気ディスク装置によれば、主磁極とサイドシールドが対向する面の間に配線を備えることで、配線から発生する電流磁界によりサイドシールドの磁化の向きは記録媒体の記録層（ヘッドのＡＢＳ）に対して面内方向に確立される。そのため、サイドシールドから記録層に漏れる漏れ磁界を低減し、既記録情報を消去または劣化させる磁界の発生を抑制することが可能となる。これにより、磁気ディスクのオントラック信号品質を維持したまま、磁気ディスク上の数十トラックに渡る広い隣接トラック領域における既記録情報を消去または劣化を抑えることができ、長期データ保存が可能で信頼性の向上した磁気記録ヘッドおよび磁気ディスク装置を提供することができる。
【００３８】
次に、他の実施形態に係るＨＤＤの記録ヘッドについて説明する。なお、以下に説明する他の実施形態において、前述した第１の実施形態と同一の部分には、同一の参照符号を付してその詳細な説明を省略し、第１の実施形態と異なる部分を中心に詳しく説明する。
【００３９】
（第２の実施形態）  
図９は、第２の実施形態に係るＨＤＤの記録ヘッドを模式的に示す斜視図、図１０は、第２の実施形態に係る記録ヘッドを空気支持面側から見た平面図である。  
第２の実施形態によれば、配線８０は、一方のサイドシールド７４上に配置された第１配線８０ａと、他方のサイドシールド７４上に配置された第２配線８０ｂと、の独立した２本の配線で構成されている。
【００４０】
配線８０ａは、一方のサイドシールド７４と主磁極６０との間で、サイドシールド７４の上面に対向して設けられ、更に、サイドシールド７４のトラック幅全体に延在している。すなわち、配線８０ａは、この配線８０ａとＡＢＳ４３との間に一方のサイドシールド７４が介在するように配置されている。配線８０ａは、一方のサイドシールド７４の上面およびＡＢＳ４３とほぼ平行に配置され、かつ、サイドシールド７４の上面から高さ方向（ＡＢＳ４３に垂直な方向）に距離Ｌ（例えば、１００ｎｍ）だけ離間している。第１配線８０ａの長手方向両端は、配線８３ａおよび前述した配線部材を介して、電流供給部８４に電気的に接続されている。
【００４１】
配線８０ｂは、他方のサイドシールド７４と主磁極６０との間で、サイドシールド７４の上面に対向して設けられ、更に、他方のサイドシールド７４のトラック幅全体に延在している。すなわち、配線８０ｂは、配線８０ｂとＡＢＳ４３との間に他方のサイドシールド７４が介在するように配置されている。配線８０ｂは、他方のサイドシールド７４の上面およびＡＢＳ４３とほぼ平行に配置され、かつ、サイドシールド７４の上面から高さ方向（ＡＢＳ４３に垂直な方向）に距離Ｌ（例えば、１００ｎｍ）だけ離間している。第２配線８０ｂの長手方向両端は、配線８３ｂおよび前述した配線部材を介して、電流供給部８４に電気的に接続されている。
【００４２】
電流供給部８４から配線８０ａ、８０ｂにＤＣ電流あるいはＡＣ電流を通電すると、配線８０ａ、８０ｂを通ってＡＢＳ４３とほぼ平行に電流が流れ、配線８０ａ、８０ｂからこれらの配線を中心とする電流磁界が発生する。この電流磁界は、サイドシールド７４に対して、ＡＢＳ４３の面方向に作用する。これにより、各サイドシールド７４の磁化の向きは、ＡＢＳ４３と平行な面内方向となり、すなわち、磁気ディスク１２の記録層とほぼ平行な面内方向となり、サイドシールド７４からＡＢＳ４３に垂直な方向の漏れ磁界の発生を抑制することができる。  
なお、配線８０ａ、８０ｂへの通電は、常時、連続的に通電しても良く、あるいは、情報記録動作時に、記録コイル７０への通電に同期して配線８０ａ、８０ｂに通電するようにしても良い。また、配線８０ａ、８０ｂは、ＡＢＳ４３と完全に平行な場合に限らず、ＡＢＳ４３に対して僅かに傾斜していてもよい。
【００４３】
以上のように構成された第２の実施形態においても、前述した第１の実施形態と同様の作用効果を得ることができる。すなわち、第２の実施形態によれば、磁気ディスクのオントラック信号品質を維持したまま、磁気ディスク上の数十トラックに渡る広い隣接トラック領域における既記録情報を消去または劣化を抑えることができ、長期データ保存が可能で信頼性の向上した磁気記録ヘッドおよび磁気ディスク装置を提供することができる。
【００４４】
本発明は上述した実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、ヘッド部を構成する要素の材料、形状、大きさ等は、必要に応じて変更可能である。また、磁気ディスク装置において、磁気ディスクおよび磁気記録ヘッドの数は、必要に応じて増加可能であり、磁気ディスクのサイズも種々選択可能である。
【符号の説明】
【００４５】
１０…筺体、１０ａ…ベース、１２…磁気ディスク、１３…スピンドルモータ、  
１４…キャリッジアッセンブリ、２５…制御回路基板、４２…スライダ、  
４３…空気支持面（ＡＢＳ）、４４…ヘッド部、５４…リードヘッド、  
５８…記録ヘッド、６０…主磁極、６２…ライトシールド磁極、７０…記録コイル、  
７４…サイドシールド、７６ａ…底面、７６ｂ…上面、８０…配線、  
８０ａ…第１配線、８０ｂ…第２配線、８４…電流供給部
【図１】
2017117506.tif 000003
【図２】
2017117506.tif 000004
【図３】
2017117506.tif 000005
【図４】
2017117506.tif 000006
【図５】
2017117506.tif 000007
【図６】
2017117506.tif 000008
【図７】
2017117506.tif 000009
【図８】
2017117506.tif 000010
【図９】
2017117506.tif 000011
【図１０】
2017117506.tif 000012